(57)【要約】【課題】特定の条件で、再帰性反射材料に形成された画像が視認できることで、偽造対策と真偽判別性の問題を解決するとともに、従来の再帰性反射材料に画像を施した技術に対して、立体、動画、チェンジ効果に優れた画像形成体を提供するものである。【解決手段】  基材の上に積層された再帰性反射材料において、一部の光遮断層に、貫通した孔で成る画像要素を形成する。画像要素のうち、基材面に対して水平な第１Ｆの方向に万線状に配置された複数の第１の画像要素によって、第１の画像要素群が形成され、第１Ｆの方向に隣合う光遮断層において、第１の画像要素は基材に対して異なる方向に貫通し、第１の画像要素群を構成している第１の画像要素が、同じ第１Ｇの方向を向いたときに第１の画像が形成される構成とする。【選択図】  図１
2014206685.tif 000002
【特許請求の範囲】
【請求項１】
複数のマイクロレンズと、前記マイクロレンズに隣接した光遮断層を備えた再帰性反射材料が基材の少なくとも一部に積層され、前記再帰性反射材料を構成する前記複数の光遮断層のうち、一部の前記光遮断層は、貫通した孔で成る画像要素を有し、前記画像要素のうち、前記基材面に対して水平な第１Ｆの方向に万線状に配置された複数の第１の画像要素によって、第１の画像要素群が形成され、前記第１Ｆの方向に隣合う前記光遮断層において、前記第１の画像要素は前記基材に対して異なる方向に貫通し、前記第１の画像要素群を構成している前記第１の画像要素が、同じ第１Ｇの方向を向いたときに第１の画像が形成されることを特徴とする画像形成体。
【請求項２】
前記第１Ｆの方向又は前記第１Ｆの方向と異なる第２Ｆの方向、・・・、第ｎＦの方向（ｎは２以上の自然数）に万線状に配置された複数の第２の画像要素、・・・、第ｎの画像要素が形成され、前記複数の第２の画像要素によって第２の画像要素群が形成され、・・・、前記複数の第ｎの画像要素によって第ｎの画像要素群が形成され、前記第２の画像要素群において、前記第１Ｆの方向又は前記第２Ｆの方向に隣合う前記光遮断層に形成される前記第２の画像要素は、前記基材に対して異なる方向に貫通し、・・・、前記第ｎの画像要素群において、前記第１Ｆの方向又は前記第ｎＦの方向に隣合う前記光遮断層に形成される前記第ｎの画像要素は、前記基材に対して異なる方向に貫通し、前記第１の画像要素群乃至前記第ｎの画像要素群は重ならず配置され、前記第２の画像要素群を構成している前記第２の画像要素が、同じ第２Ｇの方向を向いたときに第２の画像が形成され、・・・、前記第ｎの画像要素群を構成している前記第ｎの画像要素が、同じ第ｎＧの方向を向いたときに第ｎの画像が形成されることを特徴とする請求項１記載の画像形成体。
【請求項３】
前記第１Ｆの方向又は前記第１Ｆの方向と異なる第２Ｆの方向、・・・、第ｎＦの方向（ｎは２以上の自然数）に万線状に配置された複数の第２の画像要素、・・・、第ｎの画像要素が形成され、前記複数の第２の画像要素によって第２の画像要素群が形成され、・・・、前記複数の第ｎの画像要素によって第ｎの画像要素群が形成され、前記第２の画像要素群において、前記第１Ｆの方向又は前記第２Ｆの方向に隣合う前記光遮断層に形成される前記第２の画像要素は、前記基材に対して異なる方向に貫通し、・・・、前記第ｎの画像要素群において、前記第１Ｆの方向又は前記第ｎＦの方向に隣合う前記光遮断層に形成される前記第ｎの画像要素は、前記基材に対して異なる方向に貫通し、前記第１の画像要素群乃至前記第ｎの画像要素群のうち、少なくとも二つの群の一部が重複して配置され、前記画像要素群が重複して形成される領域は、重複している前記画像要素群を構成している前記画像要素が一つの前記光遮断層に形成され、前記第２の画像要素群を構成している前記第２の画像要素が、同じ第２Ｇの方向を向いたときに第２の画像が形成され、・・・、前記第ｎの画像要素群を構成している前記第ｎの画像要素が、同じ第ｎＧの方向を向いたときに第ｎの画像が形成されることを特徴とする請求項１記載の画像形成体。
【請求項４】
前記基材が、光透過性基材又は発光材料を含む基材であることを特徴とする請求項１乃至３のいずれか1項に記載の画像形成体。
【発明の詳細な説明】
【技術分野】
【０００１】
本発明は、偽造防止効果を必要とする銀行券、パスポート、有価証券、身分証明書、カード、通行券等のセキュリティ印刷物の分野において、印刷物を湾曲させてわずかに傾けて観察することで画像が、立体、動画、チェンジ効果を伴って変化する、特殊な視覚効果を備えた画像形成体に関する。
【背景技術】
【０００２】
文字や図形などの画像が立体的に浮き上がって見える立体的な視覚効果や、画像が動いて見える動画的な視覚効果は、人目を惹きやすく、また容易に偽造することは困難であることから、近年、セキュリティ印刷物の真偽判別要素として多く用いられる傾向にある。この代表例は、米国ビザカードにおいて貼付されているホログラムであり、１９８３年に発行されたもので、鳩の立体画像が形成されている。
【０００３】
ホログラム以外にも、パララックスバリアやレンチキュラー等の公知技術を用い、これらの技術が備える、わずかな観察角度の違いで画像を変化させられるという特徴を活かし、画像が立体的に視認できる効果や、画像が動いて見える動画的な視覚効果を備えたセキュリティ印刷物はすでに広く存在している。
【０００４】
また、近年、再帰性反射材料と呼ばれる特殊な材料を利用して立体画像が出現するシートが開示されている（例えば、特許文献１参照）。再帰性反射材料とは、例えば多数のマイクロレンズが高い密度でベース基材に埋没したシートにおいて、マイクロレンズと基材の間に光を反射する材料、例えばアルミで光反射層を形成したものである。この再帰性反射材料は、特定の方向から光が入射した場合、主として入射した光の方向を中心に光を強く反射するという特徴を有しているため、従来から反射板や道路標識等に用いられている。特許文献１に記載の、再帰性反射材料を用いて立体画像を形成する技術とは、マイクロレンズ下の光反射層の感光特性を利用するものであって、マイクロレンズを通して強い光を照射し、マイクロレンズ下の光反射層に任意の画像を焼き付けることによって形成される。この方法によって、インテグラルフォトグラフィ方式の立体画像の記録と再生が可能であり、比較的薄く（１００μｍ以下）立体画像を形成できるという特徴を有している。
【０００５】
特許文献１の技術は、観察位置に応じて画像を上下左右に平行移動させることで形成可能な遠近感の表現や、ある画像を異なる視点から見た画像へと変化させる３Ｄの表現は可能であるものの、マイクロレンズに焼き付けられる画像は、マスクを透過した光の拡散光や散乱光によって焼き付けられるため、ある画像を異なる画像へと変化させる、いわゆるチェンジング効果や、モーフィングやアニメーションのような動画的な視覚効果を付与することは不可能であるという問題があった。
【０００６】
そこで、本出願人は、複数のマイクロレンズとそれに隣接した光遮断層から成る再帰性反射材料が積層された基材を用い、マイクロレンズに対応した光遮断層に、複数の角度に貫通した孔を形成し、同じ角度で形成された貫通孔によって複数の潜像画像を形成した潜像画像形成体を提案している（例えば、特許文献２参照）。この潜像画像形成体は、同じ角度で形成された複数の貫通孔によって、一つの潜像画像を形成しているため、人の顔や風景といった複雑な階調を有し、かつ、高い解像度を要求する画像も表現することができる。また、光遮断層に形成する貫通孔の角度毎に画像を変更することができるため、立体的な表現に留まらずチェンジング効果、モーフィング又はアニメーションのような動画的な視覚効果を付与することができる。
【先行技術文献】
【特許文献】
【０００７】
【特許文献１】特表２００３−５２４２０５号公報
【特許文献２】特開２０１２−１３９９１号公報
【発明の開示】
【発明が解決しようとする課題】
【０００８】
しかしながら、特許文献１及び特許文献２の技術は、手にして透かして観察することで、再帰性反射材料に形成された潜像が視認できるので、これを手にする万人が真偽判別を行うことができる反面、偽造者の複製の対象となりやすいという問題がある。
【０００９】
また、特許文献１及び特許文献２の技術は、前述した理由から特定の者のみが知り得る方法によって真偽判別する必要がある場合、例えば、銀行、引換所、検閲所、対応窓口又は金券ショップ等の点検者が判別するような場面において、適用することができないという問題があった。
【００１０】
また、特許文献２の潜像画像形成体において、光遮断層に形成できる貫通孔の角度の範囲に限界があり、潜像画像を視認できる角度の範囲、すなわち、画像が立体効果を伴って視認できる範囲も限定されるという問題があった。例えば、特許文献２の潜像画像形成体は、立体物に対して、正面から３６０°までの異なる方向から観察したときに視認できる画像を、観察方向に伴って変化するように形成することはできない。同様に、動画、チェンジ効果を伴って視認できる範囲も限定されるという問題があった。
【００１１】
また、限られた観察角度の中で、多くの潜像を出現させるために、わずかな角度の差で貫通孔を形成しようとすると、隣同士の貫通孔を透過する光が干渉して、画像が白く飛んでしまうという問題がある。
【００１２】
本発明は、上記課題の解決を目的とするものであり、特定の条件で、再帰性反射材料に形成された画像が視認できることで、前述した偽造対策と真偽判別性の問題を解決するとともに、従来の再帰性反射材料を用いた画像形成体に対して、観察する方向の角度の範囲と、変化する画像の数が限定されることなく、より、立体、動画、チェンジ効果及びアニメーション効果を備えた画像形成体を提供するものである。
【課題を解決するための手段】
【００１３】
本発明の画像形成体は、複数のマイクロレンズと、マイクロレンズに隣接した光遮断層を備えた再帰性反射材料が基材の少なくとも一部に積層され、再帰性反射材料を構成する複数の光遮断層のうち、一部の光遮断層は、貫通した孔で成る画像要素を有し、画像要素のうち、基材面に対して水平な第１Ｆの方向に万線状に配置された複数の第１の画像要素によって、第１の画像要素群が形成され、第１Ｆの方向に隣合う光遮断層において、第１の画像要素は基材に対して異なる方向に貫通し、第１の画像要素群を構成している第１の画像要素が、同じ第１Ｇの方向を向いたときに第１の画像が形成されることを特徴とする。
【００１４】
また、本発明の画像形成体は、第１Ｆの方向又は第１Ｆの方向と異なる第２Ｆの方向、・・・、第ｎＦの方向（ｎは２以上の自然数）に万線状に配置された複数の第２の画像要素、・・・、第ｎの画像要素が形成され、複数の第２の画像要素によって第２の画像要素群が形成され、・・・、複数の第ｎの画像要素によって第ｎの画像要素群が形成され、第２の画像要素群において、第１Ｆの方向又は第２Ｆの方向に隣合う光遮断層に形成される第２の画像要素は、基材に対して異なる方向に貫通し、・・・、第ｎの画像要素群において、第１Ｆの方向又は第ｎＦの方向に隣合う光遮断層に形成される第ｎの画像要素は、基材に対して異なる方向に貫通し、第１の画像要素群乃至第ｎの画像要素群は重ならず配置され、第２の画像要素群を構成している第２の画像要素が、同じ第２Ｇの方向を向いたときに第２の画像が形成され、・・・、第ｎの画像要素群を構成している第ｎの画像要素が、同じ第ｎＧの方向を向いたときに第ｎの画像が形成されることを特徴とする。
【００１５】
また、本発明の画像形成体は、第１Ｆの方向又は第１Ｆの方向と異なる第２Ｆの方向、・・・、第ｎＦの方向（ｎは２以上の自然数）に万線状に配置された複数の第２の画像要素、・・・、第ｎの画像要素が形成され、複数の第２の画像要素によって第２の画像要素群が形成され、・・・、複数の第ｎの画像要素によって第ｎの画像要素群が形成され、第２の画像要素群において、第１Ｆの方向又は第２Ｆの方向に隣合う光遮断層に形成される第２の画像要素は、基材に対して異なる方向に貫通し、・・・、第ｎの画像要素群において、第１Ｆの方向又は第ｎＦの方向に隣合う光遮断層に形成される第ｎの画像要素は、基材に対して異なる方向に貫通し、第１の画像要素群乃至第ｎの画像要素群のうち、少なくとも二つの群の一部が重複して配置され、画像要素群が重複して形成される領域は、重複している画像要素群を構成している画像要素が一つの光遮断層に形成され、第２の画像要素群を構成している第２の画像要素が、同じ第２Ｇの方向を向いたときに第２の画像が形成され、・・・、第ｎの画像要素群を構成している第ｎの画像要素が、同じ第ｎＧの方向を向いたときに第ｎの画像が形成されることを特徴とする。
【００１６】
また、本発明の画像形成体は、基材が、光透過性基材又は発光材料を含む基材であることを特徴とする。
【発明の効果】
【００１７】
本発明の画像形成体は、基材が平らな状態で画像を観察することができず、特定の条件で画像が視認できることから、偽造の対策が図れるとともに、特定の者の真偽判別を可能とする用途にも用いることができる。
【００１８】
また、本発明の画像形成体は、湾曲させた状態で画像を形成することで、従来よりも広い観察角度から画像を視認可能であり、立体、動画、チェンジ効果及びアニメーション効果を高めることができる。
【００１９】
また、本発明の画像形成体は、立体、動画、チェンジ効果及びアニメーション効果を伴って視認できる画像の変化が、従来よりも大きく、画像の変化の全てを模倣することは極めて困難であることから、偽造抵抗力に優れる。
【図面の簡単な説明】
【００２０】
【図１】本発明の画像形成体の層構造を示す図である。
【図２】本発明の画像形成体の概要を示す図である。
【図３】本発明の画像形成体に形成される画像を示す図である。
【図４】第１の画像が形成される状態を示す図である。
【図５】第１の画像の構成を示す図である。
【図６】従来技術の再帰性反射材料に形成される画像の構成を示す図である。
【図７】マイクロレンズが一様に配置された再帰性反射材料に、画像要素が形成された状態を示す図である。
【図８】第２の画像が形成される状態を示す図である。
【図９】第２の画像の構成を示す図である。
【図１０】第３の画像が形成される状態を示す図である。
【図１１】第３の画像の構成を示す図である。
【図１２】本発明の画像形成体を形成する装置の一例を示す図である。
【図１３】画像形成体を異なる方向から観察する状態を示す図である。
【図１４】透過光下での画像の観察原理を示す図である。
【図１５】反射光下での画像の観察原理を示す図である。
【図１６】立体視によって画像を観察する状態を示す図である。
【図１７】再帰性反射材料の異なる領域に画像が形成される例を示す図である。
【図１８】画像を形成するときに基材を湾曲させる方向の例を示す図である。
【図１９】基材を湾曲させる方向と、画像要素の配置の関係を示す図である。
【図２０】二つの方向に湾曲させて画像を形成したときの画像要素が配置される方向を示す図である。
【図２１】画像を形成するときの湾曲させる方向の別の例を示す図である。
【図２２】画像を形成するときに基材を湾曲させた状態の別の例を示す図である。
【図２３】円錐状に湾曲した画像形成体の例を示す図である。
【図２４】実施例１の画像形成体を示す図である。
【図２５】実施例１の画像形成体に形成した画像の構成を示す図である。
【図２６】実施例１の画像形成体を作製する状態を示す図である。
【発明を実施するための最良の形態】
【００２１】
本発明を実施するための形態について図面を用いて説明する。しかしながら、本発明は、以下に述べる実施するための形態に限定されるものではなく、特許請求の範囲記載における技術的思想の範囲内であれば、その他のいろいろな実施の形態が含まれる。
【００２２】
（概要）
はじめに、本発明の画像形成体（１）の概要について説明する。本発明の画像形成体（１）は、図１（ａ）に示すように、基材（２）上の少なくとも一部に再帰性反射材料（３）が積層されて成る。図１（ｂ）は、図１（ａ）におけるＸ−Ｘ’線における再帰性反射材料（３）の断面図であり、再帰性反射材料（３）は、少なくとも、マイクロレンズ（５）と、マイクロレンズ（５）に隣接した光遮断層（６）を備える。本発明で用いる再帰性反射材料（３）は、図１（ｂ）に示すように、マイクロレンズ（５）が接着樹脂層（４）に半球のみが埋没し、残りが表面に露出して成る。そして、接着樹脂層（４）に埋没したマイクロレンズ（５）一つ一つの表面に対応して隣接した光遮断層（６）が付与される構成となっている。なお、一般的には、再帰性反射材料（３）においてマイクロレンズ（５）の下面に存在するのは、「光を反射する材料」によって構成された「光反射層」と呼ばれるが、再帰性反射材料（３）に用いられている光を反射する材料の多くは、光を反射する特性の他に光を遮断する性質も有しており、本説明においては、本発明で必要とされる性質を鑑みて、便宜上、「光を遮断する材料」によって構成された「光遮断層（６）」とする。
【００２３】
本発明において、マイクロレンズ（５）一つ一つの大きさは同じ大きさでもよいし、異なる大きさであってもよい。図１（ａ）に示すように、マイクロレンズ（５）が配置される密度は、後述する画像（８）を形成するためにほぼ一様である必要があるが、固定されたピッチで規則的に配置される必要はない。なお、実際のマイクロレンズは、直径が２０〜１００μｍ程度であるため、目視で確認することができないが、図１（ａ）は、マイクロレンズ（５）が一様に配置されている状態を模式的に示している。
【００２４】
本発明において光遮断層（６）は、図１（ｂ）に示すように、光遮断層（６）が基材（２）に対して、複数の異なる角度で部分的に除去された貫通孔が形成され、これによって、複数の画像（８）が形成される。以降、所定の方向に光遮断層（６）が部分的に除去された貫通孔のことを「画像要素（７）」として説明する。
【００２５】
図２（ａ）は、再帰性反射材料（３）を構成する光遮断層（６）に画像要素（７）が形成された状態を示す図である。本発明の画像形成体（１）を透過光下又は反射光下で平らな状態で観察すると、画像要素（７）の有無による明暗差又は色の差を観察することができるが、有意味な情報を観察することはできない。一方、図２（ｂ）に示すように、本発明の画像形成体（１）を湾曲させて異なる方向から観察すると、湾曲した画像形成体（１）に対して観察者の視点（１０）から見える範囲は、観察する方向毎に異なり、視点（１０）の位置毎に画像形成体（１）に対する一部の表面を観察することとなる。そして、異なる方向から観察する観察者の視点（１０）からは、画像要素（７）によって構成された画像（８）が変化して視認できる。なお、画像（８）を構成する画像要素（７）の詳細な構成、画像要素（７）を形成する方法、画像（８）が視認される原理については後述する。
【００２６】
以下、本発明の画像形成体（１）の詳細について説明する。なお、本発明の画像形成体（１）の構成を分かり易く説明するため、マイクロレンズ（５）が一定の間隔で、Ｘ軸方向とＹ軸方向にマトリクス状に配置された再帰性反射材料（３）について説明する。また、湾曲させて画像（８）を視認するときの条件の設定を、以下の通り行う。
【００２７】
本発明において、画像を（８）を観察するときの画像形成体（１）を湾曲させる方向は、任意の方向とすることができるが、本実施の形態においては、図２（ａ）及び図２（ｂ）に示すように、再帰性反射材料（３）の中心であるＯ−Ｏ’線を基準として湾曲させ、図２（ａ）中の再帰性反射材料（３）の左端であるＰ−Ｐ’線と右端であるＱ−Ｑ’線の位置が合わさって円筒状に湾曲されるものとする。また、円筒状の断面は、真円となっているものとする。また、図２（ａ）に示す画像形成体（１）の横方向を「Ｘ軸」、縦方向を「Ｙ軸」、基材（２）に対して垂直方向を「Ｚ軸」とする。また、図２（ｂ）に示す円筒状に湾曲させた画像形成体（１）に対しては、観察者の視点（１０）から見たときの円周方向を「Ｘ軸」、高さ方向を「Ｙ軸」、円筒の奥行き方向を「Ｚ軸」として説明する。なお、円筒状に湾曲させた画像形成体（１）に対するＺ軸は、異なる位置の観察者の視点（１０）毎から見た奥行き方向のことであり、図２（ｂ）に示す方向のみに限定されるものではない。
【００２８】
そして、本実施の形態では、円筒状に湾曲された画像形成体（１）の円の中心点（Ｒ）と、Ｏ−Ｏ’線を結ぶ線上に位置する観察者の視点（１０）を基準として、４５°ずつ異なる合計七つの方向から、画像（８）を観察するものとする。なお、図２（ｂ）において、基準となる観察者の視点（１０）の位置から、左側に角度がずれる場合は「正」の値の角度とし、右側に角度がずれる場合は「負」の値の角度として説明する。また、Ｏ−Ｏ’線上を観察する観察者の視点（１０）は、図２（ｃ）に示すように、円筒状に湾曲された画像形成体（１）に対して、鉛直方向（Ｚ軸と平行）から観察するものとし、残りの４５°ずつ異なる方向から観察する観察者の視点（１０）においても、これと同様とする。
【００２９】
（基材）
本発明の画像形成体（１）は、透過光下又は反射光下によって、出現する画像（８）を観察するものである。画像形成体（１）を透過する光によって画像（８）を観察する場合、基材（２）には、光透過性を有した材料を用いる必要がある。このような材料としては、紙、プラスチックがあり、画像形成体（１）の真偽判別を要求される環境における照明条件に応じて、適正な透過率の基材（２）を適宜選択して用いる必要がある。仮に、蛍光灯の下で画像（８）を観察するためには、透過率が１０％以上の材料を用い、太陽光の下で画像（８）を観察するためには、透過率が６％以上の材料を用いるのが好ましい。
【００３０】
画像形成体（１）を反射する光によって画像を観察する場合、基材（２）は、透過性を有する必要はなく、段ボールや、塗工紙、厚紙であっても良い。また、反射する光によって画像の視認性を向上させるために、基材（２）が発光材料を含む構成であっても良い。なお、本実施の形態では、はじめに、基材（２）が光透過性を有した材料の例で説明し、反射光で画像（８）を観察する構成については後述する。
【００３１】
（光遮断層）
光遮断層（６）については、太陽光や蛍光灯のような一般的な照明程度の光の透過を完全に遮る特性を有する必要があり、かつ、レーザーのような強い光を照射した場合に限っては、消失する特性を有する必要がある。光遮断層（６）は、具体的には一般的な再帰性反射材料に用いられているアルミ、金、銀、スズ、ニッケル、ステンレス等が適当である。また、接着樹脂層（４）としては、アクリル系樹脂、ウレタン系樹脂、ポリエステル系樹脂、エポキシ系樹脂、ナイロン系樹脂、ゴム系樹脂、ビニル系樹脂などの各種合成樹脂を用いることができる。
【００３２】
（画像の構成）
本実施の形態は、図２（ｂ）に示すように、湾曲させたときの観察する方向によって視認できる画像（８）として、「異なる方向から観察したときに視認できる文字（漢字の印）」を形成した例であり、七つの画像（８）が形成された画像形成体（１）について説明する。
【００３３】
以降、七つの画像（８）を区別するため、それぞれ、第１の画像（８Ａ）、第２の画像（８Ｂ）、第３の画像（８Ｃ）、第４の画像（８Ｄ）、第５の画像（８Ｅ）、第６の画像（８Ｆ）、第７の画像（８Ｇ）として説明する。第１の画像（８Ａ）は、図３（ａ）に示すように、「真正面から見た立体的な文字（漢字の印）」であり、第２の画像（８Ｂ）は、図３（ｂ）に示すように、「左斜めから見た立体的な文字（漢字の印」であり、第３の画像（８Ｃ）は、図３（ｃ）に示すように、「左横から見た立体的な文字（漢字の印」であり、第４の画像（８Ｄ）は、図３（ｄ）に示すように、「左背面の斜めから見た立体的な文字（漢字の印」であり、第５の画像（８Ｅ）は、図３（ｅ）に示すように、「右斜めら見た立体的な文字（漢字の印」であり、第６の画像（８Ｆ）は、図３（ｆ）に示すように、「右横から見た立体的な文字（漢字の印」であり、第７の画像（８Ｇ）は、図３（ｇ）に示すように、「右背面の斜めから見た立体的な文字（漢字の印」で構成される。続いて、第１の画像（８Ａ）から第７の画像（８Ｇ）を形成する方法について説明する。
【００３４】
（画像の形成方法）
前述したように、画像（８）は、光遮断層（６）が部分的に除去された画像要素（７）によって形成され、画像要素（７）は、再帰性反射材料（３）に対して、マイクロレンズ（５）側からレーザー光（１１）を照射することによって形成される。はじめに、第１の画像（８Ａ）を形成する方法について説明する。
【００３５】
図４（ａ）は、レーザー加工装置（図示せず）からレーザー光（１１）が照射されて、第１の画像（８Ａ）が形成される状態を示す図である。本発明の画像形成体（１）において、第１の画像（８Ａ）を形成する場合、図４（ａ）に示すように、基材（２）を湾曲させた状態で、レーザー光（１１）の照射を行う。このとき、基材（２）上に一様に配置されたマイクロレンズ（５）のうち、第１の画像（８Ａ）に対応する位置の複数のマイクロレンズ（５）に、レーザー光（１１）が照射されて、第１の画像（８Ａ）を構成する画像要素（７）が形成される。以降、第１の画像（８Ａ）を構成する画像要素（７）を「第１の画像要素（７ａ）」として説明する。
【００３６】
ここで、基材（２）上に一様に配置されたマイクロレンズ（５）において、「第１の画像（８Ａ）に対応する位置」について説明する。例えば、網点で形成される印刷物は、微小な点である網点が複数形成されることによって、一つの印刷画像が形成される。本発明においてもこれと同様であって、一つのマイクロレンズ（５）に形成される第１の画像要素（７ａ）は、第１の画像（８Ａ）の一部を構成するだけであり、複数のマイクロレンズ（５）に形成される第１の画像要素（７ａ）が集まって、第１の画像（８Ａ）が形成される。紙基材を湾曲させた状態で、印刷画像を構成する複数の網点を形成するのと同様にして、本発明では、湾曲した再帰性反射材料（３）のマイクロレンズ（５）にレーザー光（１１）を照射して、複数の第１の画像要素（７ａ）を形成している。以降説明する第２の画像（８Ｂ）から第７の画像（８Ｇ）の対応する位置においても、これと同様である。
【００３７】
図４（ｂ）は、図４（ａ）に示す画像形成体（１）をＹ軸方向から見た再帰性反射材料（３）に第１の画像（８Ａ）が形成される部分の一部断面図である。図４（ｂ）に示すように、第１の画像要素（７ａ）を形成するために照射されるレーザー光（１１）の方向は、第１の画像（８Ａ）を観察するときの視点（１０）から円筒状に湾曲した画像形成体（１）を見る方向と同じである。すなわち、円筒状に湾曲した画像形成体（１）のＯ−Ｏ’線に対して鉛直方向（Ｚ軸と平行）から、レーザー光（１１）が照射される。  
【００３８】
レーザー加工装置から照射されるレーザー光（１１）は、マイクロレンズ（５）を通して、光遮断層（６）に照射され、光遮断層（６）が部分的に除去されて第１の画像要素（７ａ）が形成される。レーザー加工装置からのレーザー光（１１）が、第１の画像（８Ａ）に対応する位置のマイクロレンズ（５）に対して、同じ方向から照射されることで、湾曲させた状態の画像形成体（１）において、第１の画像（８Ａ）を構成する複数の第１の画像要素（７ａ）は、図４（ｂ）に示すように、同じ第１Ｇの方向（Ｇ１）に光遮断層（６）が除去された状態で形成される。以上の方法によって、再帰性反射材料（３）に第１の画像（８Ａ）が形成される。
【００３９】
図５（ａ）は、第１の画像（８Ａ）が形成された画像形成体（１）の平面図を示す図である。前述のように、マイクロレンズ（５）は、微小な大きさであるため、目視で確認することができないが、図５（ａ）は、一定の間隔でマトリクス状に配置された状態を示している。図４（ｂ）に示す状態で形成された複数の第１の画像要素（７ａ）によって、再帰性反射材料（３）の一部の領域に第１の画像要素群（７Ａ）が形成される。なお、図５（ａ）に示す第１の画像要素（７ａ）は、第１の画像（８Ａ）である「真正面から見た立体的な文字（漢字の印）」に対応したマイクロレンズ（５）に位置するものではないが、第１の画像要素群（７Ａ）が複数の第１の画像要素（７ａ）によって構成されることを説明するために、図示したものである。
【００４０】
画像形成体（１）が平面の状態では、前述の通り、第１の画像（８Ａ）を観察することができないが、図５（ａ）は、画像形成体（１）に第１の画像要素群（７Ａ）が形成される領域（３Ａ）を示している。
【００４１】
図５（ｂ）は、図５（ａ）に示す第１の画像（８Ａ）が形成される領域（３Ａ）のＸ１−Ｘ１’線、Ｘ２−Ｘ２’線及びＸ３−Ｘ３’線における、マイクロレンズ（５）に形成された第１の画像要素（７ａ）の拡大図である。図５（ｂ）に示すように、Ｘ１−Ｘ１’線におけるマイクロレンズ（５）において、第１の画像要素（７ａ）は、基材面に対して水平な第１Ｆの方向（Ｆ１）を向く直線状に配置された状態となっている。なお、第１Ｆの方向（Ｆ１）は、円筒状に湾曲させた画像形成体（１）の円周方向であり、この形態の場合、Ｘ軸方向と同じ方向となる。また、ここでいう直線状とは、複数の第１の画像要素（７ａ）によって直線を構成するのではなく、第１の画像（８Ａ）に対応した位置に配置される第１の画像要素（７ａ）が一つの直線状に配置されることである。
【００４２】
図５（ｂ）に示すＸ２−Ｘ２’線及びＸ３−Ｘ３’線におけるマイクロレンズ（５）においても、これと同様であり、第１の画像要素（７ａ）は、基材面に対して水平な第１Ｆの方向（Ｆ１）を向く直線状に配置された状態となっている。このように、第１の画像要素群（７Ａ）は、直線（Ｘ１−Ｘ１’線、Ｘ２−Ｘ２’線、Ｘ３−Ｘ３’線、・・・Ｘｎ−Ｘｎ’線）状に配置された複数の第１の画像要素（７ａ）が、更に、万線状に配置された構成となっている。
【００４３】
図５（ｃ）は、第１の画像要素群（７Ａ）が形成される領域（３Ａ）のＸ１−Ｘ１’線における断面図である。画像形成体（１）が円筒状に湾曲した状態のとき、第１の画像要素（７ａ）は同じ第１Ｇの方向（Ｇ１）を向いているが、平らな状態では、図５（ｃ）の破線で示すように、第１Ｆの方向（Ｆ１）に隣同士の光遮断層（６）において、第１の画像（８Ａ）を構成する第１の画像要素（７ａ）は、異なる方向に向いた状態となっている。なお、第１の画像要素群（７Ａ）の中で、Ｘ１−Ｘ１’線の直線状とは異なるＸ２−Ｘ２’線及びＸ３−Ｘ３’線における断面図については省略するが、図５（ｂ）に示す断面図と同様に、第１Ｆの方向（Ｆ１）に隣同士の光遮断層（６）において、第１の画像（８Ａ）を構成する第１の画像要素（７ａ）は、異なる方向に向いた状態となっている。
【００４４】
図６は、特許文献２の潜像画像形成体の一部断面図である。図６に示すように、特許文献２の潜像画像形成体は、一つの画像を構成する画像要素（７）が、同じ方向を向いた状態となっているのに対し、本発明の画像形成体（１）は、図５（ｃ）に示すように、一つの画像を構成する画像要素（７）の向きが異なる。
【００４５】
図５では、マイクロレンズ（５）が規則的な間隔でマトリクス状に配置された再帰性反射材料（３）に第１の画像要素（７Ａ）が形成された状態を示しているが、本発明においてマイクロレンズ（５）は、図１に示したように、必ずしも規則的に配置されていなくても良い。図７（ａ）は、不規則な間隔で一様にマイクロレンズ（５）が配置された再帰性反射材料（３）に第１の画像要素（７ａ）が形成された状態を示している。図７（ａ）に示すマイクロレンズ（５）は、一様に配置されたマイクロレンズ（５）に第１の画像要素（７ａ）が形成される構成の説明するため、便宜上、図５に示すマイクロレンズ（５）よりも小さい状態で図示しているが、前述のようにマイクロレンズ（５）は微小であり、図７（ａ）に示す構成の方が、より実際の再帰性反射材料（３）に近い状態である。
【００４６】
本発明において、不規則な間隔で一様にマイクロレンズ（５）が配置された再帰性反射材料（３）に対しては、照射するレーザー光のスポット径をマイクロレンズ（５）より大きくして、前述したように加工を行えば良い。図７（ｂ）は、図７（ａ）に示すＸ１−Ｘ１’線における拡大図である。マイクロレンズ（５）の径に対して、レーザー光（１１）のスポット径を大きくして加工することで、図７（ｂ）に示すように、レーザー光（１１）のスポット径の中に位置するマイクロレンズ（５）には、第１の画像要素（７ａ）が形成される。図７（ｂ）に示す拡大図においては、マイクロレンズ（５）の位置毎に、第１の画像要素（７ａ）が形成される位置は異なるが、レーザー光（１１）のスポット径の中で、直線状に配置されており、マイクロレンズ（５）と第１の画像要素（７ａ）自体は微小であるため、本発明の第１の画像（８Ａ）を観察する際に、図７に示す複数の第１の画像要素（７ａ）による第１の画像（８Ａ）と、図５に示す複数の第１の画像要素（７ａ）による第１の画像（８Ａ）は同じように視認できる。このことからして、図７に示す第１の画像要素（７ａ）の状態も、本発明でいう直線状に配置される技術的思想の範囲に含まれる。
【００４７】
また、実際の再帰性反射材料（３）を構成する一つのマイクロレンズ（５）は、前述のように微小であるため、目視で確認することができず、一つ一つのマイクロレンズ（５）を狙ってレーザー光（１１）を照射することは困難である。しかし、前述したようにマクロレンズ（５）は、一様に配置されているため、レーザー光（１１）は、いずれかのマイクロレンズ（５）に照射され、図４、図５及び図７に示す第１の画像要素（７ａ）は必ず形成される。このことから、第１の画像要素（７ａ）同士の間に、レーザー光（１１）が照射されないマイクロレンズ（５）もあり、第１の画像要素（７ａ）を形成する時に、必ずしも図４、図５及び図７に示すように連続して第１の画像要素（７ａ）を形成する必要はなく、これまでに説明した第１の画像要素（７ａ）が再帰性反射材料（３）上に形成されていれば良い。
【００４８】
従って、本発明において、隣同士の光遮断層（６）とは、第１の画像要素（７ａ）が形成される光遮断層（６）同士のことを指している。
【００４９】
以降の説明において、図４（ｂ）に示すように、一つ一つに画像要素（７）を形成する時に照射されるレーザー光（１１）の対象は、狭義の意味でマイクロレンズ（５）とし、画像（８）全体を形成するときに照射されるレーザー光（１１）の対象は、広義の意味で再帰性反射材料（３）とする。
【００５０】
続いて、第２の画像（８Ｂ）を形成する方法について説明する。図８（ａ）は、レーザー加工装置（図示せず）からレーザー光（１１）が照射されて、第２の画像（８Ｂ）が形成される状態を示す図である。第２の画像（８Ｂ）を形成する場合、図８（ａ）に示すように、円筒状に湾曲された画像形成体（１）に対して、４５°傾いた方向からレーザー光（１１）を照射して、第２の画像（８Ｂ）に対応する位置の複数のマイクロレンズ（５）に、画像要素（７）が形成される。以降、第２の画像（８Ｂ）を構成する画像要素（７）を「第２の画像要素（７ｂ）」として説明する。
【００５１】
図８（ｂ）は、図８（ａ）に示す画像形成体（１）をＹ軸方向から見た再帰性反射材料（３）に第２の画像（８Ｂ）が形成される部分の一部断面図である。円筒状に湾曲された画像形成体（１）に対して、４５°傾いた方向の鉛直方向（Ｚ軸と平行）からレーザー光（１１）が照射されることで、第２の画像（８Ｂ）を構成する複数の第２の画像要素（７ｂ）は、図８（ｂ）に示すように、第２Ｇの方向（Ｇ２）に光遮断層（６）が除去された状態で形成される。以上の方法によって、再帰性反射材料（３）に第２の画像（８Ｂ）が形成される。
【００５２】
図９（ａ）は、第２の画像（８Ｂ）が形成された画像形成体（１）の平面図である。図８（ｂ）に示す状態で形成された複数の第２の画像要素（７ｂ）によって、再帰性反射材料（３）の一部の領域に第２の画像要素群（７Ｂ）が形成される。なお、図９（ａ）に示す第２の画像要素（７ｂ）は、第２の画像（８Ｂ）である「左斜めから見た立体的な文字（漢字の印）」に対応したマイクロレンズ（５）に位置するものではないが、第２の画像要素群（７Ｂ）が複数の第２の画像要素（７ｂ）によって構成されることを説明するために、図示したものである。図９（ａ）に示す平面図において、第２の画像要素群（７Ｂ）が形成される領域を符号（３Ｂ）で示し、太線の破線で示している。また、第１の画像要素群（７Ａ）が形成された領域（３Ａ）は、細線の破線で示している。図８（ｂ）に示すように、４５°異なる方向からレーザー光（１１）が照射された結果、一部のマイクロレンズ（５）には、第１の画像要素（７ａ）と第２の画像要素（７ｂ）が形成される部分が生じ、この部分のマイクロレンズ（５）は、第１の画像（８Ａ）と第２の画像（８Ｂ）に共通するものである。そのため、図９（ａ）においても、第２の画像要素群（７Ｂ）が形成される領域（３Ｂ）と第１の画像要素群（７Ａ）が形成される領域（３Ａ）の一部は重複した領域となっている。
【００５３】
図９（ｂ）は、図９（ａ）に示す第２の画像（８Ｂ）が形成される領域（３Ｂ）のＸ１−Ｘ１’線、Ｘ２−Ｘ２’線及びＸ３−Ｘ３’線における、マイクロレンズ（５）に形成された第２の画像要素（７ｂ）の拡大図である。本実施の形態において、第２の画像要素（７ｂ）は、第１の画像要素（７ａ）と同じ湾曲した状態で形成されることから、Ｘ１−Ｘ１’線、Ｘ２−Ｘ２’線及びＸ３−Ｘ３’線におけるマイクロレンズ（５）において、第２の画像要素（７ｂ）は、基材面に対して水平な第１Ｆの方向（Ｆ１）を向く直線状に配置された状態となっている。そして、第２の画像要素群（７Ｂ）もまた第１の画像要素群（７Ａ）と同様に、直線状に配置された第２の画像要素（７ｂ）が万線状に配置された構成となっている。
【００５４】
図９（ｃ）は、第２の画像（８Ｂ）が形成される領域（３Ｂ）のＸ−Ｘ’線における断面図である。画像形成体（１）が円筒状に湾曲した状態のとき、第２の画像要素（７ｂ）は同じ第２Ｇの方向（Ｇ２）を向いているが、平らな状態では、図９（ｃ）の破線で示すように、第２の画像（８Ｂ）を構成する第２の画像要素（７ｂ）は、第１Ｆの方向に隣同士の光遮断層（６）において異なる方向に向いた状態となっている。また、第１の画像（８Ａ）と第２の画像（８Ｂ）が重複する領域の光遮断層（６）には、図９（ｃ）に示すように、第１の画像要素（７ａ）と第２の画像要素（７ｂ）が形成される。なお、第２の画像要素群（７Ｂ）の中で、Ｘ１−Ｘ１’線の直線状とは異なるＸ２−Ｘ２’線及びＸ３−Ｘ３’線における断面図については省略するが、図９（ｃ）に示す断面図と同様に、第１Ｆの方向（Ｆ１）に隣同士の光遮断層（６）において、第２の画像（８Ｂ）を構成する第２の画像要素（７ｂ）は、異なる方向に向いた状態となっている。
【００５５】
続いて、第３の画像（８Ｃ）を形成する方法について説明する。図１０（ａ）は、レーザー加工装置（図示せず）からレーザー光（１１）が照射されて、第３の画像（８Ｃ）が形成される状態を示す図である。第３の画像（８Ｃ）を形成する場合、図１０（ａ）に示すように、円筒状に湾曲された画像形成体（１）に対して、９０°傾いた方向からレーザー光（１１）を照射して、第３の画像（８Ｃ）に対応する位置の複数のマイクロレンズ（５）に、画像要素（７）が形成される。以降、第３の画像（８Ｃ）を構成する画像要素（７）を「第３の画像要素（７ｃ）」として説明する。
【００５６】
図１０（ｂ）は、図１０（ａ）に示す画像形成体（１）をＹ軸方向から見た再帰性反射材料（３）に第３の画像（８Ｃ）が形成される部分の一部断面図である。円筒状に湾曲された画像形成体（１）に対して、９０°傾いた方向の鉛直方向（Ｚ軸と平行）からレーザー光（１１）が照射されることで、第３の画像（８Ｃ）を構成する複数の第３の画像要素（７ｃ）は、図１０（ｂ）に示すように、第３Ｇの方向（Ｇ３）に光遮断層（６）が除去された状態で形成される。以上の方法によって、再帰性反射材料（３）に第３の画像（８Ｃ）が形成される。
【００５７】
図１１（ａ）は、第３の画像（８Ｃ）が形成された画像形成体（１）の平面図である。以上に説明した方法で形成された複数の第３の画像要素（７ｃ）によって、再帰性反射材料（３）の一部の領域に第３の画像要素群（７Ｃ）が形成される。なお、図１１（ａ）に示す第３の画像要素（７ｃ）は、第３の画像（８Ｃ）である「左横から見た立体的な文字（漢字の印）」に対応したマイクロレンズ（５）に位置するものではないが、第３の画像要素群（７Ｃ）が複数の第３の画像要素（７ｃ）によって構成されることを説明するために、図示したものである。図１１（ａ）に示す平面図において、第３の画像要素群（７Ｃ）が形成される領域を符号（３Ｃ）で示し、太線の破線で示している。また、第２の画像要素群（７Ｂ）が形成された領域（３Ｂ）は、細線の破線で示している。図１０（ｂ）に示すように、４５°異なる方向からレーザー光（１１）が照射された結果、一部のマイクロレンズ（５）には、第２の画像要素（７ｂ）と第３の画像要素（７ｃ）が形成される部分が生じ、この部分のマイクロレンズ（５）は、第２の画像（８Ｂ）と第３の画像（８Ｃ）に共通するものである。そのため、図１１（ａ）においても、第３の画像要素群（７Ｃ）が形成される領域（３Ｃ）と第２の画像要素群（７Ｂ）が形成される領域（３Ｂ）の一部は重複した領域となっている。
【００５８】
図１１（ｂ）は、図１１（ａ）に示す第３の画像（８Ｃ）が形成される領域（３Ｃ）の、Ｘ１−Ｘ１’線、Ｘ２−Ｘ２’線及びＸ３−Ｘ３’線における、マイクロレンズ（５）に形成された第３の画像要素（７ｃ）の拡大図である。本実施の形態において、第３の画像要素（７ｃ）は、第１の画像要素（７ａ）及び第２の画像要素（７ｂ）と同じ湾曲した状態で形成されることから、Ｘ１−Ｘ１’線、Ｘ２−Ｘ２’線及びＸ３−Ｘ３’線におけるマイクロレンズ（５）において、第３の画像要素（７ｃ）は、基材面に対して水平な第１Ｆの方向（Ｆ１）を向く直線状に配置された状態となっている。そして、第３の画像要素群（７Ｃ）もまた第１の画像要素群（７Ａ）及び第２の画像要素群（７Ｂ）と同様に、直線状に配置された第３の画像要素（７ｃ）が万線状に配置された構成となっている。
【００５９】
図１１（ｃ）は、第３の画像（８Ｃ）が形成される領域（３Ｃ）のＸ−Ｘ’線における断面図である。画像形成体（１）が円筒状に湾曲した状態のとき、第３の画像要素（７ｃ）は同じ第３Ｇの方向（Ｇ３）を向いているが、平らな状態では、図１１（ｃ）の破線で示すように、第３の画像（８Ｃ）を構成する第３の画像要素（７ｃ）は、第１Ｆの方向に隣同士の光遮断層（６）において異なる方向に向いた状態となっている。また、第２の画像（８Ｂ）と第３の画像（８Ｃ）が重複する領域の光遮断層（６）には、図１１（ｃ）に示すように、第２の画像要素（７ｂ）と第３の画像要素（７ｃ）が形成される。なお、第３の画像要素群（７Ｃ）の中で、Ｘ１−Ｘ１’線の直線状とは異なるＸ２−Ｘ２’線及びＸ３−Ｘ３’線における断面図については省略するが、図１１（ｃ）に示す断面図と同様に、第１Ｆの方向（Ｆ１）に隣同士の光遮断層（６）において、第３の画像（８Ｃ）を構成する第３の画像要素（７ｃ）は、異なる方向に向いた状態となっている。
【００６０】
本実施の形態では、発明を分かり易く説明するため、一つのマイクロレンズ（５）に隣接した光遮断層（６）に二つの画像要素（７）が形成された例で説明するが、複数の画像（８）を形成するときの角度の差が小さくなるほど、一つのマイクロレンズ（５）に対応した光遮断層（６）に、更に多くの画像要素（７）が形成されることとなる。
【００６１】
第４の画像（８Ｄ）から第７の画像（８Ｇ）を形成する場合には、円筒状に湾曲させた画像形成体（１）に対してレーザー光の照射角度が異なる他は、これまでに説明した画像要素（７）の形成方法と同様にすれば良く、第４の画像（８Ｄ）を形成する場合には、１３５°傾いた方向の鉛直方向（Ｚ軸と平行）から第４の画像（８Ｄ）に対応する位置の複数のマイクロレンズ（５）に、画像要素（７）を形成すれば良い。また、第５の画像（８Ｅ）を形成する場合には、−４５°傾いた方向の鉛直方向（Ｚ軸と平行）から第５の画像（８Ｅ）に対応する位置の複数のマイクロレンズ（５）に、画像要素（７）を形成すれば良い。また、第６の画像（８Ｆ）を形成する場合には、−９０°傾いた方向の鉛直方向（Ｚ軸と平行）から第６の画像（８Ｆ）に対応する位置の複数のマイクロレンズ（５）に、画像要素（７）を形成すれば良い。また、第７の画像（８Ｇ）を形成する場合には、−１３５°傾いた方向の鉛直方向（Ｚ軸と平行）から第７の画像（８Ｇ）に対応する位置の複数のマイクロレンズ（５）に、画像要素（７）を形成すれば良い。
【００６２】
（画像の加工装置）
以上説明した七つの画像（８）を形成する方法において、画像要素（７）を形成するための加工装置（２０）の一例を図１２に示す。図１２に示す加工装置（２０）は、再帰性反射材料（３）を備えた基材（２）を載せるための回転ステージ（２３）と、レーザー光（１１）を照射するレーザー加工装置（２２）と、回転ステージ（２３）の回転を制御するとともに、レーザー加工装置（２２）によるレーザー光（１１）の照射する位置を制御するコンピュータ（２１）で構成される。なお、主軸の回転によって、回転ステージ（２３）を自在に回転させて角度を変更することができる。このような加工装置（２０）を用いて、第１の画像（８Ａ）に相当する位置の再帰性反射材料（３）にレーザー光（１１）を照射し、以降は、４５°ずつ回転させて、第２の画像（８Ｂ）から第７の画像（８Ｇ）に相当する位置の再帰性反射材料（３）にレーザー光（１１）を照射することで、本発明の画像形成体（１）を作製することができる。なお、レーザー加工装置（２２）で用いる光の波長としては、マイクロレンズ（５）を傷つけることなく透過し、かつ、光遮断層（６）に欠損を生じさせる特性を必要とすることから、可視波長か、それに近い赤外線であることが望ましい。具体的にはＹＡＧ、サファイア、ＹＶＯ４等のレーザーが適している。
【００６３】
（画像の視認原理）
続いて、本実施の形態の画像形成体（１）において、異なる方向から観察したときに、第１の画像（８Ａ）から第７の画像（８Ｇ）が視認される原理について説明する。
【００６４】
図１３（ａ）は、円筒状に湾曲させた画像形成体（１）を、七つの異なる方向から観察する状態を示す図である。図１３（ｂ）は図１３（ａ）をＹ軸上から見た図である。
【００６５】
本実施の形態の画像形成体（１）を観察する場合、図１３（ａ）及び図１３（ｂ）に示すように、円筒状の画像形成体（１）の中心側に光源（９）を配置し、画像形成体（１）を挟んだ反対側に視点（１０）が位置した状態で、画像形成体（１）を透過する光を観察する。なお、本発明の画像形成体（１）を観察するとき、光源（９）として、蛍光灯やＬＥＤ等の照明装置を用いて観察しても良いし、照明装置を用意することなく、日常生活で得られる太陽光や、蛍光灯の下でも、光が円筒状の画像形成体（１）の内部の回り込むため、画像（８）を観察することができる。
【００６６】
また、本発明において、画像形成体（１）を観察するときの画像形成体（１）の湾曲状態と、第１の画像（８Ａ）から第７の画像（８Ｇ）を形成するときの湾曲状態は同じである。また、円筒状に湾曲した画像形成体（１）に対して、第１の画像（８Ａ）から第７の画像（８Ｇ）を観察する七つの方向は、第１の画像（８Ａ）から第７の画像（８Ｇ）を形成するときに、円筒状の画像形成体（１）に対してレーザー光（１１）を照射する方向と同じである。
【００６７】
以降、第１の画像（８Ａ）を形成するときにレーザー光（１１）が照射される方向から見た観察者の視点の符号を（１０Ａ）とし、第２の画像（８Ｂ）を形成するときにレーザー光（１１）が照射される方向から見た観察者の視点の符号を（１０Ｂ）とし、第３の画像（８Ｃ）を形成するときにレーザー光（１１）が照射される方向から見た観察者の視点の符号を（１０Ｃ）とし、第４の画像（８Ｄ）を形成するときにレーザー光（１１）が照射される方向から見た観察者の視点の符号を（１０Ｄ）とし、第５の画像（８Ｅ）を形成するときにレーザー光（１１）が照射される方向から見た観察者の視点の符号を（１０Ｅ）とし、第６の画像（８Ｆ）を形成するときにレーザー光（１１）が照射される方向から見た観察者の視点の符号を（１０Ｆ）とし、第７の画像（８Ｇ）を形成するときにレーザー光（１１）が照射される方向から見た観察者の視点の符号を（１０Ｇ）として説明する。
【００６８】
視点（１０Ａ）から観察すると、光源（９）の光は、基材（２）を透過し、更に、画像要素（７）が形成された部分を透過する。再帰性反射材料（３）は、入射した光が光反射層（６）によって、入射した方向と同じ方向に光を反射する性質があるが、本発明のように、光遮断層（６）を除去した画像要素（７）を形成した場合、画像要素（７）を透過するときの光の方向のみに強く光を透過させる性質がある。このとき、図１４に示すように、第１の画像要素（７ａ）が観察者の視点（１０Ａ）に対して同じ第１Ｇの方向（Ｇ１）を向いており、複数の第１の画像要素（７ａ）を透過した光のみが、観察者の視点（１０Ａ）に達する。一方、光源（９）の光は、第２の画像要素（７ｂ）と第５の画像要素（７ｅ）も透過するが、マイクロレンズ（５）によって、屈折されることから、観察者の視点（１０Ａ）に届くか、届いたとしても透過光量は極めて小さくなり、第１の画像（８Ａ）の視認性に影響することはない。この結果、複数の第１の画像要素（７ａ）を透過する光の集合によって、「真正面から見た立体的な文字（漢字の印）の画像」である第１の画像（８Ａ）を視認することができる。
【００６９】
同様の原理によって、視点（１０Ｂ）から観察した場合、図１４に示すように、第２の画像要素（７ｂ）は、観察者の視点（１０Ｂ）に対して同じ第２Ｇの方向（Ｇ２）を向いており、第２の画像要素（７ｂ）を透過する光のみが観察者の視点（１０Ｂ）に達し、複数の第２の画像要素（７ｂ）を透過する光の集合によって、「左斜めから見た立体的な文字（漢字の印）の画像」である第２の画像（８Ｂ）を視認することができる。また、視点（１０Ｃ）から観察した場合、図１４に示すように、第３の画像要素（７ｃ）は、観察者の視点（１０Ｃ）に対して同じ第３Ｇの方向（Ｇ３）を向いており、第３の画像要素（７ｃ）を透過する光のみが観察者の視点（１０Ｃ）に達し、複数の第３の画像要素（７ｃ）を透過する光の集合によって、「左横から見た立体的な文字（漢字の印）の画像」である第３の画像（８Ｃ）を視認することができる。また、視点（１０Ｄ）から観察した場合、図１４に示すように、第４の画像要素（７ｄ）は、観察者の視点（１０Ｄ）に対して同じ第４Ｇの方向（Ｇ４）を向いており、第４の画像要素（７ｄ）を透過する光のみが観察者の視点（１０Ｄ）に達し、複数の第４の画像要素（７ｄ）を透過する光の集合によって、「左背面の斜めから見た立体的な文字（漢字の印）の画像」である第４の画像（８Ｄ）を視認することができる。また、視点（１０Ｅ）から観察した場合、図１４に示すように、第５の画像要素（７ｅ）は、観察者の視点（１０Ｅ）に対して同じ第５Ｇの方向（Ｇ５）を向いており、第５の画像要素（７ｅ）を透過する光のみが観察者の視点（１０Ｅ）に達し、複数の第５の画像要素（７ｅ）を透過する光の集合によって、「右斜めから見た立体的な文字（漢字の印）の画像」である第５の画像（８Ｅ）を視認することができる。また、視点（１０Ｆ）から観察した場合、図１４に示すように、第６の画像要素（７ｆ）は、観察者の視点（１０Ｆ）に対して同じ第６Ｇの方向（Ｇ６）を向いており、第６の画像要素（７ｆ）を透過する光のみが観察者の視点（１０Ｆ）に達し、複数の第６の画像要素（７ｆ）を透過する光の集合によって、「右横から見た立体的な文字（漢字の印）の画像」である第６の画像（８Ｆ）を視認することができる。また、視点（１０Ｇ）から観察した場合、図１４に示すように、第７の画像要素（７ｇ）は、観察者の視点（１０Ｇ）に対して同じ第７Ｇの方向（Ｇ７）を向いており、第７の画像要素（７ｇ）を透過する光のみが観察者の視点（１０Ｇ）に達し、複数の第７の画像要素（７ｇ）を透過する光の集合によって、「右背面の斜めから見た立体的な文字（漢字の印）の画像」である第７の画像（８Ｇ）を視認することができる。
【００７０】
このように、本発明の画像形成体（１）は、湾曲した状態で画像（８）を形成することで、特許文献１に記載される技術よりも、広い観察角度で画像（８）を視認することができ、立体、動画、チェンジ効果を高めることができる。
【００７１】
以上に説明した画像形成体（１）は、透過光下で画像（８）が観察できる構成であるが、続いて、反射光下で画像（８）が観察できる構成について説明する。この場合、基材（２）は、前述のように光透過性を有する必要はなく、段ボールや、塗工紙、厚紙等を用いる。また、湾曲可能なものであれば、紙材に限定されるものはなく、金属板、プラスチックを用いても良い。基材（２）が異なること以外の構成は、前述した画像形成体（１）と同様であるので説明を省略し、続いて反射光下で画像（８）が視認できる原理について説明する。
【００７２】
図１５は、反射光下で円筒状に湾曲した画像形成体（１）を、視点（１０Ａ）から観察する状態を示す図である。図１５の光源（９）からの光は、マイクロレンズ（５）を透過して光遮断層（６）に到達する。そして、光遮断層（６）が残っている部分では、マイクロレンズ（５）を透過した光がそのまま反射され、一方の、画像要素（７ａ）が形成された部分は、光が透過し、基材（２）によって反射される。このとき、光遮断層（６）は、前述した金属材料で構成されているため、反射光が強く、基材（２）に紙材を用いる場合、紙材（２）に到達した光の吸収と散乱が生じるため、反射光は弱くなる。結果的に、視点（１０Ａ）から観察すると、画像要素（７ａ）の有無によって、反射光の明暗差が生じて、画像（８）を視認することができる。
【００７３】
また、基材（２）が可視発光材料を含む場合には、画像要素（７）を透過した光によって、基材（２）が可視光領域の波長を含む光で発光して光が反射される。そして、画像要素（７）が形成された部分は、発光材料の発光色が視認でき、画像（８）が発光色の色で視認できる。なお、発光材料としては、紫外線励起可視発光材料、赤外線励起可視発光材料、可視光励起可視発光材料があり、特定波長の光を照射することにより可視発光する公知の材料を使用することができる。このような材料を、樹脂と混合して、基材（２）に塗布しても良いし、基材（２）に含浸させても良い。
【００７４】
本実施の形態では、観察する方向に応じて視認できる画像（８）として、「異なる方向から観察した立体的な文字（漢字の印）」を例に形成したが、本発明の画像形成体（１）に形成する画像（８）は、これに限定されるものではなく、例えば、それぞれの画像（８）を相互に相関のある動きを表現した画像とし、パラパラ漫画のように画像の動きを表現する動画的構成や、それぞれの画像（８）を全く異なる図柄で構成し、一つの画像から、全く相関のない画像に変化する、いわゆるチェンジングと呼ばれる画像変化に富んだ構成であっても良い。また、本実施の形態では、画像（８）を「立体的な文字（漢字の印）」としているが、本発明の画像形成体（１）に形成する画像（８）は、これに限定されるものではなく、任意の画像を形成することができる。例えば、文字、記号、数字、風景画等でも良い。また、コンピュータ上で形成した画像であっても良い。
【００７５】
また、本実施の形態では、画像形成体（１）の構成を分かりやすく説明するため、七つの方向からレーザー光（１１）を照射して、七つの画像（８）を形成した画像形成体（１）について説明したが、画像（８）の数はこれに限定されるものではなく、更に多くの方向からレーザー光（１１）を照射して画像（８）を形成することで、より動的効果又はチェンジ効果の高い画像形成体（１）とすることができる。
【００７６】
また、本実施の形態では、円筒状に湾曲された画像形成体（１）に対して、鉛直方向（Ｚ軸と平行）にレーザー光（１１）を照射した形態について説明したが、鉛直方向に対して傾斜した角度からレーザー光（１１）を照射して複数の画像要素（７）を形成しても良い。
【００７７】
また、任意の立体物を異なる方向から観察した画像を形成する本実施の形態において、更に、画像（８）を形成する角度の差を小さくし、図１６に示すように、右目（１０Ｒ）と左目（１０Ｌ）のそれぞれで、画像要素（７Ｒ、７Ｌ）を視認すると、立体視の状態となる。図１６において、画像要素（７Ｒ）は、光遮断層（６）を右目の方向に貫通しており、画像要素（７Ｌ）は、左目の方向に貫通している。このとき、複数の画像要素（７Ｒ）による画像と複数の画像要素（７Ｌ）による画像は、湾曲した画像形成体（１）の奥側で結像し、立体的な画像として視認できる。なお、立体視の原理については、公知であり、例えば、特許第４９７７８９５号に記載されている。図１６に示す画像要素（７Ｒ、７Ｌ）は、故意的に右目用の画像要素（７Ｒ）と左目用の画像要素（７Ｌ）として形成する必要はなく、二つの画像（８）を形成する角度の差を小さくして形成し、図１６に示す位置に視点の位置を移動させることで立体視が可能となる。
【００７８】
また、本実施の形態では、第１の画像（８Ａ）から第７の画像（８Ｇ）の形成される領域の一部が重複した形態について説明したが、図１７に示すように、それぞれの画像が重複せず、別の領域に形成される構成としても良い。
【００７９】
また、本実施の形態では、図２に示すＯ−Ｏ’線を基準とし、基材（２）が外側に沿った状態に湾曲させて、画像（８）が形成される形態について説明したが、Ｏ−Ｏ’線を基準とし、図２に示す湾曲させる方向とは逆の方向に湾曲させ、基材（２）が内側に沿った状態で画像（８）が形成される構成としても良い。
【００８０】
また、本実施の形態では、図２（ａ）に示すＯ−Ｏ’線を基準に湾曲させた状態で画像（８）を形成する形態について説明したが、本発明の画像形成体（１）は、前述のように、任意の方向に湾曲させても良い。その一例として、図１８（ａ）に示すように、Ｏ−Ｏ’線と直交する方向であるＳ−Ｓ’線を基準に円筒状に湾曲させた状態で、図１８（ｂ）に示すように、異なる方向からレーザー光（１１）を照射して複数の画像（８）を形成しても良い。
【００８１】
図１９（ａ）は、図１８（ｂ）に示す状態で画像要素（７）が形成された画像形成体（１）の平面図を示す図である。図１９（ａ）では、画像(８)の図柄の詳細については省略しており、画像（８）の対応した位置の複数のマイクロレンズ（５）に画像要素(７)が形成されている状態を示している。
【００８２】
図１９（ｂ）は、図１９（ａ）に示す、Ｙ１−Ｙ１’線、Ｙ２−Ｙ２’線及びＹ３−Ｙ３’線におけるマイクロレンズ（５）に形成された画像要素（７）の拡大図である。図１９（ｂ）に示すように、Ｙ１−Ｙ１’線におけるマイクロレンズ（５）において、画像要素（７）は、基材面に対して水平な第２Ｆの方向（Ｆ２）を向く直線状に配置された状態となっている。なお、ここでいう第２Ｆの方向（Ｆ２）は、円筒状に湾曲させた画像形成体（１）の円周方向であり、この形態の場合、Ｙ軸方向と同じ方向となる。図１９（ｂ）に示すＹ２−Ｙ２’線及びＹ３−Ｙ３’線におけるマイクロレンズ（５）においても、これと同様であり、画像要素（７）は、基材面に対して水平な第２Ｆの方向（Ｆ２）を向く直線状に配置された状態となっている。このように、Ｓ−Ｓ’線を基準に円筒状に湾曲させた画像を形成する場合においても、直線状に配置された画像要素（７）が万線状に配置された構成となっている。
【００８３】
また、Ｏ−Ｏ’線とＳ−Ｓ’線のそれぞれを基準に湾曲させて、それぞれの湾曲させた状態で複数の画像（８）を形成すれば、二つの方向に湾曲させて画像（８）が視認できる画像形成体（１）とすることができる。この場合、Ｏ−Ｏ’線を基準に湾曲して形成した画像を構成する画像要素（７）が配置される方向を第１Ｆの方向（Ｆ１）とし、Ｓ−Ｓ’線を基準に湾曲して形成した画像を構成する画像要素（７）が配置される方向を第２Ｆの方向（Ｆ２）とすると、図２０に示すように、第１Ｆの方向（Ｆ１）と第２Ｆの方向（Ｆ２）は異なる方向となる。
【００８４】
また、画像形成体（１）を湾曲させて画像を形成する方向は、ここで説明した二つの方向に限定されるものではなく、更に、別の任意の方向に湾曲させて画像を形成しても良い。例えば、更に、図２１（ａ）に示すＴ−Ｔ’線を基準に湾曲させて画像（８）を形成すると、Ｔ−Ｔ’線を基準に湾曲して形成した画像を構成する画像要素（７）が配置される第３Ｆの方向（Ｆ３）は、図２１（ｂ）に示すとおりであり、図２１（ａ）に示すＵ−Ｕ’線を基準に湾曲させて画像（８）を形成すると、Ｕ−Ｕ’線を基準に湾曲して形成した画像を構成する画像要素（７）が配置される第４Ｆの方向（Ｆ４）は、図２１（ｂ）に示すとおりである。
【００８５】
また、画像要素（７）を形成するときの画像形成体の湾曲状態は、真円である必要はなく、図２２（ａ）に示す楕円、図２２（ｂ）に示す半円であっても良い。
【００８６】
また、図２３に示すように、円錐状に湾曲させて、複数の画像（８）を形成しても良い。
【００８７】
以下に、前述の発明を実施するための最良の形態にしたがって、具体的に作成した画像形成体の実施例について詳細に説明するが、本発明は、この実施例に限定されるものではない。
【００８８】
（実施例１）
実施例１において、わずかに観察角度の異なる画像を一定の規則に従って配置し、基材を円筒状に湾曲させて観察した場合に、立体感を付与した画像形成体（１−１）の例を説明する。図２４に、実施例１における画像形成体（１−１）を示す。実施例１の画像形成体（１−１）は、外径１７ｍｍのガラス製の円筒に再帰性反射材料（３−１）を巻きつけた状態で「異なる方向から観察した立体的な文字（印）」の画像（８−１）を形成した後、透明で平坦なプラスチックフィルムに貼付した。なお、再帰性反射材料（３−１）には、ユニチカスパークライト社製の再帰性反射フィルムを用いた。
【００８９】
続いて、画像（８−１）の詳細について説明する。図２４は、便宜上、一つの画像（８−１）のみを示しているが、実施例１の画像形成体（１）の画像（８−１）は、図２５に示すように、７２の異なる方向から観察した立体的な文字（印）の画像で構成し、再帰性反射材料（３−１）に７２個の画像を第１の画像（８−１−１）、第２の画像（８−１−２）、・・・、第７２の画像（８−１−７２）として形成した。
【００９０】
図２５において、第１の画像（８−１−１）は、立体的な文字（印）を真正面から見たときの画像であり、これを基準として、画像（８−１−１９）は立体的な文字（印）を左方向に９０度回転した画像である。また、画像（８−１−３７）は１８０度、画像（８−１−５５）は２７０度回転した画像である。
【００９１】
このように、実施例１の画像（８−１）は、符号の数が１増える毎に、観察角度が５度変わる規則性のある画像であり、７２個の画像で立体的な文字（印）を全周方向から観察する構成とした。以上のような画像を描画ソフトウェア（Ａｄｏｂｅ社製、イラストレータ）によって作成した。これらの画像の解像度はすべて３００ｄｐｉとし、画像のサイズは３０ｍｍ×３０ｍｍで作成した。なお、画像（８−１）を形成するために用いたレーザーマーカー（キーエンス製、ＭＤ―Ｖ、発振波長１０９０ｎｍ）において、入力された画像の濃度に応じてレーザーを照射する密度を変換する機能を用い、また、ガラス製の円筒形状に応じてレーザーの焦点位置を制御する機能を用いた。
【００９２】
７２個の画像（８−１）を形成するため、図２６に示す再帰性反射材（３−１）を巻き付けた円筒の中心を通る垂直軸と加工用回転ステージ（２３）の回転軸が一致するように設置し、この回転軸に対して、Ｚ軸と平行にレーザー光（１１）を照射する構成とした。一つの画像をレーザー照射により形成した後、加工用回転ステージを一定方向に５度回転させ、連続する次の画像を形成することを、加工用回転ステージが３６０度回転するまで繰り返し行った。７２個の画像を形成した後、再帰性反射材（３−１）を円筒からはがし、透明で平坦なプラスチックフィルムに貼付して画像形成体（１）を作製した。
【００９３】
以上の手順で作製した画像形成体（１−１）は、透過光下で直径１７ｍｍの円筒と同様な形状に湾曲させて観察した場合、画像（８−１）である立体的な文字（印）が観察でき、また、湾曲させた方向での観察する角度に対応して立体的な文字が変化して観察される。一方、平坦な状態で観察した場合、画像（８−１）である立体的な文字（印）は観察されず、まだら模様の７２本の直線の集まりが観察される。
【００９４】
また、我々の右眼と左眼は水平方向に７０〜７５ｍｍ離れているために、観察者が画像形成体（１−１）を円筒状に湾曲させて観察した場合、右眼と左眼とでは画像形成体（１−１）に対する角度がわずかに異なる。この角度差によって、画像形成体（１−１）を観察する観察者は、右眼と左眼とでは異なる画像（８−１）を捉える。これは、通常我々が実際に存在する三次元構造物を観察する場合に生じる視差と全く同じであることから、画像（８−１）は自然な立体感を伴って観察される。また、観察角度に応じて、立体的な文字の向きが滑らかに変化することも伴うため、湾曲させた基材の内部に立体物が存在するかのような視覚効果を得ることができる。
【符号の説明】
【００９５】
１    画像形成体
２    基材
３    再帰性反射材料
４    接着樹脂層
５    マイクロレンズ
６    光遮断層
７    画像要素
８    画像
９    光源
１０  視点
１１  レーザー光 
２０  加工装置
２１  コンピュータ
２２  レーザー加工装置
２３  回転ステージ
１−１  画像形成体（実施例１）
２−１  基材
３−１  再帰性反射材料
８−１  画像
【図１】
2014206685.tif 000003
【図２】
2014206685.tif 000004
【図３】
2014206685.tif 000005
【図４】
2014206685.tif 000006
【図５】
2014206685.tif 000007
【図６】
2014206685.tif 000008
【図７】
2014206685.tif 000009
【図８】
2014206685.tif 000010
【図９】
2014206685.tif 000011
【図１０】
2014206685.tif 000012
【図１１】
2014206685.tif 000013
【図１２】
2014206685.tif 000014
【図１３】
2014206685.tif 000015
【図１４】
2014206685.tif 000016
【図１５】
2014206685.tif 000017
【図１６】
2014206685.tif 000018
【図１７】
2014206685.tif 000019
【図１８】
2014206685.tif 000020
【図１９】
2014206685.tif 000021
【図２０】
2014206685.tif 000022
【図２１】
2014206685.tif 000023
【図２２】
2014206685.tif 000024
【図２３】
2014206685.tif 000025
【図２４】
2014206685.tif 000026
【図２５】
2014206685.tif 000027
【図２６】
2014206685.tif 000028